(57)【要約】【課題】本発明の目的は、タッチ操作により設定変更する項目を切り替える際の操作性を向上させることである。【解決手段】タッチパネルへのタッチ操作を検出可能なタッチ検出手段と、ファインダ内に項目の設定値を示す表示をするファインダ内表示部と、前記ファインダを介して被写体像が視認可能な際に、撮影に関する所定の操作がされていない場合には、前記タッチパネルへのタッチ操作がされたことに応じて、第１の項目の設定値を変更し、前記所定の操作がされている場合には、前記タッチパネルへのタッチ操作がされたことに応じて、前記第１の項目とは異なる第２の項目の設定値を変更するように制御する制御手段とを有することを特徴とする。【選択図】図３
2018125801.tif 000002
【特許請求の範囲】
【請求項１】
タッチパネルへのタッチ操作を検出可能なタッチ検出手段と、
ファインダ内に項目の設定値を示す表示をするファインダ内表示部と、
前記ファインダを介して被写体像が視認可能な際に、撮影に関する所定の操作がされていない場合には、前記タッチパネルへのタッチ操作がされたことに応じて、第１の項目の設定値を変更し、前記所定の操作がされている場合には、前記タッチパネルへのタッチ操作がされたことに応じて、前記第１の項目とは異なる第２の項目の設定値を変更するように制御する制御手段とを有することを特徴とする撮像装置。
【請求項２】
前記所定の操作に応じて、測光処理が行われ、撮影に関する少なくとも１つの設定値が決定されることを特徴とする請求項１に記載の撮像装置。
【請求項３】
前記所定の操作を受付ける操作部材は、タッチパネルを操作する指とは異なる指で操作可能であることを特徴とする請求項１または２に記載の撮像装置。
【請求項４】
前記所定の操作は、撮影指示がされる際のシャッターボタンを押下する操作の途中の押下状態にする操作であることを特徴とする請求項１乃至３のいずれか１項に記載の撮像装置。
【請求項５】
前記所定の操作は、撮影準備指示であることを特徴とする請求項１乃至４のいずれか１項に記載の撮像装置。
【請求項６】
前記制御手段は、前記ファインダ内表示部に、少なくとも前記第１の項目または前記第２の項目のうち、いずれかの設定値を示すアイテムを表示するように制御することを特徴とする請求項１乃至５のいずれか１項に記載の撮像装置。
【請求項７】
前記第１の項目は、ＡＦ処理、ＩＳＯ感度、ＨＤＲ、コントラスト、絞り設定、露出設定の何れかを含む複数の項目から選択可能であることを特徴とする請求項１乃至６のいずれか１項に記載の撮像装置。
【請求項８】
前記第１の項目としてＡＦ処理が選択された場合に、
前記制御手段は、前記タッチパネルにおいてタッチ位置の移動が検出されたことに応じて、前記ファインダ内表示部においてＡＦ処理を行う位置を示すアイテムの表示位置を移動するように制御することを特徴とする請求項７に記載の撮像装置。
【請求項９】
前記制御手段は、前記所定の操作がされていない状態でタッチが離されたことが検出されたことに応じて、前記アイテムの表示されている位置に基づいてＡＦ処理を行い、前記所定の操作がされる前にタッチが離されなかった場合には、前記所定の操作が行われたことに応じて、前記アイテムの表示されている位置に基づいてＡＦ処理を行うように制御することを特徴とする請求項８に記載の撮像装置。
【請求項１０】
前記第１の項目がＡＦ処理である場合には、前記第２の項目は露出補正であることを特徴とする請求項７乃至９のいずれか１項に記載の撮像装置。
【請求項１１】
前記制御手段は、前記第１の項目として、１点ＡＦが選択された場合には、前記所定の操作が行われたことに応じて、前記タッチパネルへのタッチ操作に応じて前記第２の項目の設定値が変更されるようにし、前記第１の項目として、追尾ＡＦが選択された場合には、前記所定の操作が行われても、前記タッチパネルへのタッチ操作に応じて追尾ＡＦする位置が変更されるように制御することを特徴とする請求項７乃至１０のいずれか１項に記
載の撮像装置。
【請求項１２】
前記第１の項目として、ＩＳＯ感度、ＨＤＲ、コントラスト、絞り設定、露出設定のいずれかが選択された場合と、ＡＦ処理が選択された場合とでは、第２の項目として選択可能な項目が異なることを特徴とする請求項７乃至１１のいずれか１項に記載の撮像装置。
【請求項１３】
前記制御手段は、前記所定の操作が行われている時に、前記タッチパネルへのタッチ操作がされていた場合には、前記所定の操作がされても、前記タッチパネルへのタッチ操作で設定値が切り替わる項目を前記第１の項目から第２の項目へと切り替えないように制御することを特徴とする請求項１乃至８のいずれか１項に記載の撮像装置。
【請求項１４】
前記制御手段は、前記所定の操作が行われている時に、前記タッチパネルへのタッチ操作がされていた場合には、前記タッチパネルからのタッチが離されたことに応じて、前記タッチパネルへのタッチ操作で設定値が切り替わる項目を前記第１の項目から第２の項目へと切り替えるように制御することを特徴とする請求項１３に記載の撮像装置。
【請求項１５】
前記制御手段は、前記タッチパネルへのタッチ操作で設定値が切り替わる項目が切り替わった場合に、ファインダ内表示部において、項目が切り替わったことを示すガイドを表示するように制御することを特徴とする請求項１乃至１４のいずれか１項に記載の撮像装置。
【請求項１６】
タッチパネルへのタッチ操作を検出可能なタッチ検出手段と、
ライブビュー画像を表示する表示手段と、
前記表示手段にライブビュー画像が表示されている際に、撮影準備指示がされていない状態においては、前記タッチパネルへのタッチ操作に応じて、撮影に関する第１の項目の設定値を変更し、前記撮影準備指示がされている状態においては、前記タッチパネルへのタッチ操作に応じて、撮影に関する第２の項目の設定値を変更するように制御する制御手段とを有することを特徴とする撮像装置。
【請求項１７】
ファインダ内に項目の設定値を示す表示をするファインダ内表示部を有する撮像装置の制御方法であって、
タッチパネルへのタッチ操作を検出可能なタッチ検出ステップと、
前記ファインダを介して被写体像が視認可能な際に、撮影に関する所定の操作がされていない場合には、前記タッチパネルへのタッチ操作がされたことに応じて、第１の項目の設定値を変更し、前記所定の操作がされている場合には、前記タッチパネルへのタッチ操作がされたことに応じて、前記第１の項目とは異なる第２の項目の設定値を変更するように制御する制御ステップとを有することを特徴とする撮像装置の制御方法。
【請求項１８】
ライブビュー画像を表示する表示手段を有する撮像装置の制御方法であって、
タッチパネルへのタッチ操作を検出可能なタッチ検出ステップと、
前記表示手段にライブビュー画像が表示されている際に、撮影準備指示がされていない状態においては、前記タッチパネルへのタッチ操作に応じて、撮影に関する第１の項目の設定値を変更し、前記撮影準備指示がされている状態においては、前記タッチパネルへのタッチ操作に応じて、撮影に関する第２の項目の設定値を変更するように制御する制御ステップとを有することを特徴とする撮像装置の制御方法。
【請求項１９】
コンピュータを、請求項１乃至１６のいずれか１項に記載された撮像装置の各手段として機能させるためのプログラム。
【請求項２０】
コンピュータを、請求項１乃至１６のいずれか１項に記載された撮像装置の各手段とし
て機能させるためのプログラムを格納したコンピュータが読み取り可能な記録媒体。
【発明の詳細な説明】
【技術分野】
【０００１】
本発明は撮像装置およびその制御方法に関し、特に撮影を行う際に、タッチ操作により設定値を変更する項目を切り替える際の技術に関する。
【背景技術】
【０００２】
従来より、ファインダを覗いた状態において、タッチ操作を行うことで、設定値を変更する技術がある。特許文献１には、ユーザがファインダを覗き込んでいる場合には、背面モニタにおけるタッチ操作によりＡＦ処理を行うＡＦターゲット位置の変更が出来ることが開示されている。また、設定変更の対象となる項目を切り替える方法がある。特許文献２には、親項目を選択すると、選択された親項目の設定変更を受付けるバーや設定値を示すアイテムが表示されることが開示されている。
【先行技術文献】
【特許文献】
【０００３】
【特許文献１】特開２０１２−２０３１４３号公報
【特許文献２】特開２０１６−１８１０６５号公報
【発明の概要】
【発明が解決しようとする課題】
【０００４】
特許文献１の方法では、ファインダを覗いている時にＡＦ位置の設定はタッチ操作で設定変更できるが、その他の項目については設定変更することができない。一方で、特許文献２においては、様々な項目の設定変更が可能であるが、特許文献１のようにファインダを覗いている場合には、一度ファインダを覗いていた状態から目を離し、項目の変更操作を行う必要があるので、撮影操作が一時中断されてしまう。また、撮影の直前ですぐに撮影が行えるように構えている際にも、設定する項目を変更するためにデジタルカメラを持ち変えると、素早く撮影が行えなくなってしまう。
本発明は、上記の課題に鑑み、撮影を行う場合に、タッチ操作により設定変更する項目を切り替える際の操作性を向上させることを目的とする。
【課題を解決するための手段】
【０００５】
上記目的を達成するために、本発明の撮像装置は、タッチパネルへのタッチ操作を検出可能なタッチ検出手段と、ファインダ内に項目の設定値を示す表示をするファインダ内表示部と、前記ファインダを介して被写体像が視認可能な際に、撮影に関する所定の操作がされていない場合には、前記タッチパネルへのタッチ操作がされたことに応じて、第１の項目の設定値を変更し、前記所定の操作がされている場合には、前記タッチパネルへのタッチ操作がされたことに応じて、前記第１の項目とは異なる第２の項目の設定値を変更するように制御する制御手段とを有することを特徴とする。
【発明の効果】
【０００６】
本発明によれば、タッチ操作により設定変更する項目を切り替える際の操作性を向上させることができる。
【図面の簡単な説明】
【０００７】
【図１】デジタルカメラの外観の例を示す図である。
【図２】デジタルカメラの内部構成の例を示すブロック図である。
【図３】システム制御部による全体の処理の流れを例示した図である。
【図４】接眼中のタッチパッド設定の設定画面の一例である。
【図５】通常及び撮影準備指示中のタッチ処理を説明するための図である。
【図６】ファインダ内表示部における表示例を示す図である。
【発明を実施するための形態】
【０００８】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施形態に限定されるものではなく、その要旨を逸脱しない範囲において適宜変更可能である。例えば、本発明が適用される装置の構成や各種条件によって下記実施例の各構成が適宜修正又は変更されてもよい。
【０００９】
＜実施例１＞
以下、添付図面を参照して、本発明の例示的な実施形態について詳細に説明する。
（デジタルカメラ１００の外部構成）
図１Ａ及び図１Ｂは、デジタルカメラ１００の外観の例を示す図である。図１Ａはデジタルカメラ１００の背面斜視図であり、図１Ｂはデジタルカメラ１００の正面斜視図である。
図１Ａにおいてデジタルカメラ１００は、表示部２８、モード切替スイッチ６０、シャッターボタン６１、操作部７０、電源スイッチ７２、ファインダ７６及び記録媒体２００を備える。表示部２８は、撮像画像、再生画像及び各種情報等を表示可能な表示部であり、タッチ操作を受付可能（タッチ検出可能）なタッチパネル８２が一体に操作面として設けられている。表示部２８は、画像を表示するディスプレイであれば液晶方式に限らず、有機ＥＬなど他の方式のディスプレイであってもよい。
【００１０】
ファインダ７６は、接眼センサ７７と、ファインダ内表示部２５とを備える。
接眼センサ７７は、物体が１センチや２センチ等の所定距離より近い距離に接近していることを検知する可能なセンサである。また、ファインダ７６は、内部にファインダ内表示部２５を備え、電子ビューファインダ（ＥＶＦ）となっている。ライブビュー画像と共に撮影に関する情報等を表示することでユーザは被写体の様子と共に撮影情報を認識することができる。
なお、ファインダ内表示部２５の表示は、ＥＶＦでなくてもよくＯＶＦ（光学ファインダ）であってもよい。ＯＶＦの場合には、ミラーがダウンした状態でフォーカシングスクリーン（不図示）上に結像される光学像をファインダを介して視認可能となり、ファインダ内表示部２５（液晶）は光学像と重畳（または周囲に）するように撮影に関する表示等をすることができる。例えばファインダ内表示部２５において設定された被写体の位置と重なる位置にＡＦ枠を表示すると、ユーザはＡＦ位置を認識することができる。
例えば、ユーザがファインダ内表示部２５に目を近付け、接眼センサ７７がユーザの接近を検知すると、ファインダ内表示部２５に表示が切り替わり、ユーザは被写体の様子を見ることができる。ファインダ内表示部２５には、ＡＦ（オートフォーカス）位置を示す枠（後述ではカーソル）、及び設定状態を表すアイコン等（アイテム、マーク、記号等）が表示される。ＡＦ枠はライブビュー画像に重畳して表示されるので、ＡＦ処理がされる位置が認識されやすくなる。
また、接眼センサ７７が所定距離以上ユーザの目が離れたことを検知すると、デジタルカメラ１００は、ファインダ内表示部２５から表示部２８に表示を切り替える。
なお、必ずしも接眼センサ７７が無くてもよく、ユーザが表示先を切り替る切替えボタン（例えば後述するＬＶボタン７９でもよい）等を設けてもよい。電子ビューファインダの場合にはライブビュー画像が表示部２８とファインダ内表示部２５とで切り替わる。光学ファインダの場合には、ミラーダウンしファインダを介して光学像を視認可能な状態と、ミラーアップ（光学路を遮断するので光学像は視認不可）しライブビュー画像を表示部
２８に表示する状態とを切り替え可能である。
【００１１】
また、ファインダ内表示部２５にライブビュー画像（ＬＶ画像）が表示されていると、表示部２８は非表示になるが、タッチパネル７０ａは、ユーザのタッチ操作に応じてＡＦ位置又は各種の処理を受け付けることができる。例えば、デジタルカメラ１００は、ユーザのタッチ操作に応じてＡＦ位置を示す枠の位置を変更可能となる。
モード切替スイッチ６０は、各種撮影モードに切り替えるための操作部である。コネクタ１１２は、外部機器とデジタルカメラ１００とを接続ケーブルにより接続するためのインターフェースである。
【００１２】
操作部７０は、デジタルカメラ１００を操作するための構成であり、シャッターボタン６１、電子ダイヤル７３、十字キー７４、ＳＥＴボタン７５、ＬＶボタン７８、再生ボタン７９及びメニューボタン８１を含む。
シャッターボタン６１は、撮影指示を行うための操作部である。シャッターボタン６１を半押しすることで撮影準備状態となり、ＡＦ（オートフォーカス）処理、ＡＥ（自動露出）処理、ＡＷＢ（オートホワイトバランス）処理及びＥＦ（フラッシュプリ発光）処理等が行われる。また、シャッターボタン６１を全押しすることで撮影指示が行われる。なお、半押しとは、シャッターボタンを押下する操作の途中の押下状態のことである。
【００１３】
電子ダイヤル７３は、回転操作部材であり、電子ダイヤル７３を回すことで、シャッター速度や絞りなどの設定値の変更等が行える。十字キー７４は、上、下、左、右部分をそれぞれ押し込み可能な十字キー（４方向キー）である。十字キー７４の押した部分に応じた操作が可能である。ＳＥＴボタン７５は、押しボタンであり、主に選択項目の決定などに用いられる。ＬＶボタン（ライブビューボタン）７８は静止画撮影モードにおいては、表示部２８におけるライブビュー（以下、ＬＶ）表示のＯＮとＯＦＦを切り替えるボタンである。動画撮影モードにおいては、動画撮影（記録）の開始、停止の指示に用いられる。再生ボタン７９は、撮影モードと再生モードとを切り替える操作ボタンである。再生ボタン７９を押下することで再生モードとなり、記録媒体２００に記録された画像のうち最新の画像を表示部２８に表示させることができる。
電源スイッチ７２は、デジタルカメラ１００の電源のＯＮ及びＯＦＦを切り替える操作部材である。記録媒体２００は、メモリカード等であり、撮像された画像データを記録する領域である。
メニューボタン８１は、デジタルカメラ１００の各種設定をするためのメニュー画面を開くためのボタンである。メニューボタン８１が押下されると、表示部２８にメニュー画面が表示される。ユーザは、メニュー画面において十字キー７４及びＳＥＴボタン７５によりデジタルカメラ１００の各種設定を行うことができる。
図１Ｂにおいてレンズユニット１５０は、撮影レンズを搭載するレンズユニットである。
【００１４】
（デジタルカメラ１００の内部構成）
図２は、デジタルカメラ１００の内部構成の例を示すブロック図である。
レンズ１０３は通常、複数枚のレンズから構成されるが、ここでは簡略して一枚のレンズのみで示している。シャッター１０１は、開閉可能に構成され、シャッターボタン６１の押下に応じて動作する。撮像部２２は、光学像を電気信号に変換するＣＣＤやＣＭＯＳ素子等で構成される撮像素子である。
Ａ／Ｄ変換器２３は、撮像部２２から出力されたアナログ信号をデジタル信号に変換する。Ａ／Ｄ変換器２３からの出力データは、画像処理部２４及びメモリ制御部１５を介して、或いは、メモリ制御部１５を介してメモリ３２に直接書き込まれる。
メモリ３２には、撮像部２２によって得られＡ／Ｄ変換器２３によりデジタルデータに変換された画像データや、表示部２８に表示するための画像データが格納される。メモリ
３２は、所定枚数の静止画像や所定時間の動画像および音声を格納するのに十分な記憶容量を備えている。また、メモリ３２は、画像表示用のメモリ（ビデオメモリ）を兼ねている。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ｄ／Ａ変換器１３は、メモリ３２に格納されている画像表示用のデータをアナログ信号に変換して表示部２８に供給する。すなわち、Ａ／Ｄ変換器２３によって一度Ａ／Ｄ変換されメモリ３２に蓄積されたデジタル信号が、Ｄ／Ａ変換器１３によってアナログ変換される。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
さらに、ファインダ内表示部２５に表示を行っている場合には、ファインダ内表示部２５にアナログ信号を逐次転送して表示することで、電子ビューファインダとして機能する。
【００１７】
システム制御部５０は、デジタルカメラ１００全体を制御する。不揮発性メモリ５６に記録されたプログラムを実行することで、後述する本実施形態の各処理を実現する。システムメモリ５２は、ＲＡＭ等のメモリである。システムメモリ５２には、システム制御部５０の動作用の定数、変数、不揮発性メモリ５６から読み出したプログラム等が展開される。また、システム制御部５０は、表示部２８、ファインダ内表示部２５等に表示する画像を制御する。
また、システム制御部５０は、不図示のＡＦセンサにより撮像画像からデフォーカス量情報を受信し、デフォーカス量情報に基づいて位相差ＡＦを行い、レンズ１０３の位置を変位させる制御を行う。なお、ＡＦの方法は、位相差ＡＦでなくてもよく、コントラストＡＦでもよい。また、クイックリターンミラーやサブミラーがある場合には、ミラーを介して入射する像を撮像し、システム制御部５０にデフォーカス量情報を出力してもよい。ＡＦの方法は、位相差ＡＦでなくてもよく、コントラストＡＦでもよい。また、移動差ＡＦは焦点検出部１１を用いずに、撮像部２２の撮像面で検出されたデフォーカス量に基づいて行ってもよい（撮像面位相差ＡＦ）。
【００１８】
不揮発性メモリ５６は、電気的に消去・記録可能なメモリであり、例えばＥＥＰＲＯＭ等である。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
モード切替スイッチ６０、シャッターボタン６１、操作部７０は、システム制御部５０に各種の動作指示を入力するための操作手段である。
モード切替スイッチ６０は、システム制御部５０の動作モードを撮影モード、再生モード等のいずれかに切り替える。また、撮影シーン別の撮影設定となる各種シーンモード、プログラムＡＥモード、カスタムモード等がある。モード切替スイッチ６０で、これらのモードのいずれかに直接切り替えられる。あるいは、メニュー画面に一旦切り換えた後に、メニュー画面に含まれるこれらのモードのいずれかに、他の操作部材を用いて切り替え
るようにしてもよい。
【００２０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１が発生する。第１シャッタースイッチ信号ＳＷ１により、システム制御部５０は、ＡＦ（オートフォーカス）処理、ＡＥ（自動露出）処理、ＡＷＢ（オートホワイトバランス）処理、ＥＦ（フラッシュプリ発光）処理等の動作を開始させる。
第２シャッタースイッチ６４は、シャッターボタン６１の操作完了、いわゆる全押し（撮影指示）でＯＮとなり、第２シャッタースイッチ信号ＳＷ２を発生させる。システム制御部５０は、第２シャッタースイッチ信号ＳＷ２により、撮像部２２からの信号読み出しから記録媒体２００に画像データを書き込むまでの一連の撮影処理の動作を開始する。
【００２１】
操作部７０の各操作部材は、表示部２８に表示される種々の機能アイコンを選択操作することなどにより、場面ごとに適宜機能が割り当てられ、各種機能ボタンとして作用する。
表示部２８にライブビューが表示されている状態で、例えば、ＳＥＴボタン７５が押下された場合に、システム制御部５０はメニュー画面を表示させる。メニュー画面において、ユーザは十字キー７４及びＳＥＴボタン７５を用いて直感的に各種設定を行うことができる。
【００２２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
電源スイッチ７２は、電源のＯＮとＯＦＦの切替操作を受け付ける。電源部３０は、アルカリ電池やリチウム電池等の一次電池やＮｉＣｄ電池やＮｉＭＨ電池、Ｌｉ電池等の二次電池、ＡＣアダプター等からなる。
【００２３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２４】
また、操作部７０は、表示部２８に対する接触を検知可能なタッチパネル８２を含む。タッチパネル８２と表示部２８とは、一体的に構成される。例えば、表示部２８の表示面の上層にタッチパネル８２が取り付けられ、タッチパネル８２は、表示部２８の表示を妨げない程度の光の透過率を有する。そして、システム制御部５０は、タッチパネル８２における入力座標と、表示部２８上の表示座標とを対応付ける。
なお、タッチパネル８２は、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００２５】
上記の構成により、恰もユーザが表示部２８上に表示された画面を直接的に操作可能であるかのようなＧＵＩ（グラフィカルユーザーインターフェース）を構成することができる。このように、タッチ操作が行われたタッチパネル８２の位置と表示部２８の位置とを対応づけて指示を受け付ける設定を絶対座標設定という。
また、絶対座標設定とは異なり、表示部２８の所定の位置から、タッチ位置に対応する位置ではなく、タッチ操作の移動量や移動方向等に応じて移動した位置（移動操作に応じ
た量移動した位置）への指示を受け付ける設定を相対座標設定という。
【００２６】
ファインダ内表示部２５を覗きながら操作をする場合には、絶対座標設定でタッチ操作してもよいし、相対座標設定でタッチ操作をしてもよい。相対座標設定でタッチ操作をすると、タッチ操作の位置ではなく移動量で移動指示をするので、ユーザはファインダ内表示部２５に表示される操作対象の位置を見ながら所望の位置まで、移動する操作をすることで所望の位置への指示をすることができる。絶対座標設定の場合には大まかな位置をタッチし位置を指示した後で、タッチムーブをして細かな設定をすることもできる。
【００２７】
一方、表示部２８を見ながら操作する場合に相対座標設定を用いると、タッチ位置と指示位置がずれて操作性がよくないことがある。このため、表示部２８を見ながら操作する場合には、絶対座標設定が用いられる。
したがって、システム制御部５０は、ユーザが表示部２８を見ながら操作する場合には絶対座標設定を用い、接眼センサ７７から接眼を検知したときの信号を受信した場合に相対座標設定に切り替える。以下では、表示部２８に画像を表示しない状態で、タッチパネル８２がタッチ操作を受け付ける機能をタッチパッド機能という。
また、タッチパッド機能を用いる場合、接眼中にタッチパネル８２を操作する場合にユーザの鼻が意図せずタッチしてしまったとしても、ユーザの意図しない処理が行われないようにタッチパネル８２の一部領域でのタッチ操作を無効としてもよい。
なお、ユーザがタッチパッド機能を用いる場合に、絶対座標設定又は相対座標設定のいずれかを選択できるようにしてもよい。
【００２８】
システム制御部５０は、タッチパネル８２への以下の（１）〜（５）の操作、あるいは状態を検出できる。
（１）タッチパネルにタッチしていなかった指やペンが新たにタッチパネルにタッチする。すなわち、タッチを開始する（以下、タッチダウン（Touch-Down）という）。
（２）タッチパネルを指やペンでタッチしたまま移動する（以下、タッチムーブ（Touch-Move）という）。
（３）タッチパネルへタッチしていた指やペンを離す。すなわち、タッチを終了する（以下、タッチアップ（Touch-Up）という）。
（４）タッチパネルを指やペンでタッチしている状態とする（以下、タッチオン（Touch-On）という）。
（５）タッチパネルに何もタッチしていない状態とする（以下、タッチオフ（Touch-Off
）という）。
なお、タッチダウンは、タッチパネル８２にタッチを開始した動作を示すのに対し、タッチオンは、タッチパネル８２にタッチしている状態を示す。また、タッチアップは、タッチパネル８２から指やペンを離した動作を示すのに対し、タッチオフは、タッチパネル８２にタッチしていない状態を示す。
【００２９】
また、タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。また、タッチしていた全ての指やペンがタッチアップしたことが検出された後は、タッチオフとなる。
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。
例えば、システム制御部５０は、タッチムーブについてはタッチパネル上で移動する指やペンの移動方向についても、位置座標の変化に基づいて、タッチパネル上の垂直成分・
水平成分毎に判定できる。
また、後述するＡＦモードとしては、被写体を追尾しＡＦを行なうモードである「顔＋追尾優先ＡＦ」（以下、追尾ＡＦとする）と、被写体によらず定点でＡＦを行なうモードである「一点ＡＦ」がある。なお、ＡＦモードはこの２つに限らなくてよい。ユーザが指定した限定領域内で追尾ＡＦを行なうモード（「ゾーンＡＦ」）などがあってもよい。
なお、後述する処理では、ファインダを覗いた状態でファインダ外にあるタッチパネル８２を操作することにより機能を実行するタッチパッド機能について説明をする。タッチパッド機能に設定可能な設定項目としては、例えば、「１点ＡＦ設定機能」、「追尾ＡＦ設定機能」、「ＩＳＯ感度設定機能」、「ＨＤＲ設定機能」、「コントラスト設定機能」、「絞り設定機能」、「露出補正設定機能」等がある。また、後述する実施形態においては、シャッターボタン６１を半押しした状態におけるタッチパッド機能はシャッターボタン６１を押下していない状態と変更可能である。タッチパッド機能はメニュー画面において、タッチパッド機能を有効にするか否かの設定や、タッチパッド機能を有効にした場合タッチパッド機能に割り当てる機能を設定することができる。タッチパッド機能は、撮影準備指示をしている時としていない時とで、２つ設定することができる。図４には、タッチパッド機能についての設定が可能なタッチパッド設定画面の一例を示す。ユーザは、メニュー画面から「タッチパッド設定（接眼中）」の項目を選択すると、表示部２８に設定画面４０１が表示される。
設定画面４０１には、「接眼中のタッチパッド使用」の項目と、「通常時」の項目と、「シャッターボタン半押し時」の項目とが表示される。各項目はドロップダウンリストとなっており、逆三角のボタンを押下することでリストが展開される。ユーザは、タッチパネル８２、又は、十字キー７４及びＳＥＴボタン７５を操作することでリストに示された設定内容を選択することができる。
【００３０】
「接眼中のタッチパッド使用」の項目では、「使用する」又は「使用しない」を選択することができる。「使用する」が選択された場合、接眼中においてもタッチパネル８２が有効となり、ユーザのタッチ操作が検出されるようになる。一方、「使用しない」が選択された場合、接眼中においてタッチパネル８２が無効となる。
「通常時」の項目では、接眼時の撮影準備指示をしていない状態（通常時）のタッチパッド機能を選択することができる。例えば、「１点ＡＦ設定機能」、「追尾ＡＦ設定機能」、「ＩＳＯ感度設定機能」、「ＨＤＲ設定機能」、「コントラスト設定機能」、「絞り設定機能」又は「露出補正設定機能」のいずれかを選択することができる。
「シャッターボタン半押し時」の項目では、接眼時の撮影準備指示中のタッチパッド機能を選択することができる。例えば、「通常時」の項目に「１点ＡＦ設定機能」が選択されている場合、「シャッターボタン半押し時」の項目では、「ＩＳＯ感度設定機能」、「ＨＤＲ設定機能」、「コントラスト設定機能」等を選択することができる。「シャッターボタン半押し時」の項目に設定可能な候補となる項目は、「通常時」において設定された項目により変わる。反対に、「通常時」の時に設定可能な項目も「シャッターボタン半押し時」に設定された項目により変わる。
図３は、システム制御部５０によるタッチパッド機能実行処理のフローチャートを示した図である。この処理は、ユーザが接眼中の場合の処理であり、ファインダ７７内で被写体像が視認可能で表示部２８（タッチパネル７０ａ）へのタッチ操作によりタッチパッド機能を受付け可能な状態になると開始する。つまり、表示部２８にライブビュー画像が表示されておらず、表示面はタッチパッドとして機能しており、ファインダ７７内で被写体像を見ながらＡＦ位置やＩＳＯ感度等の設定変更が可能な状態になると開始する。この処理は、不揮発性メモリ５６に記録されたプログラムをシステムメモリ５２に展開してシステム制御部５０が実行することで実現する。ステップＳ３０１では、システム制御部５０は、タッチパネル８２に対してタッチダウン（タッチの開始）がされたか否かを判定する。タッチダウンされた場合、ステップＳ３０２で、システム制御部５０は、通常の設定機能のタッチダウン処理を実行させる。「通常の設定機能のタッチダウン処理」は、シャッ
ターボタン６１が押されていない通常時に、タッチパネル８２に対してタッチダウンされた場合に行われる処理である。通常のタッチパッド機能のタッチダウン処理に対応する処理を実行する。図５Ａには、タッチパッド機能の設定項目と、各設定項目のタッチダウン、タッチムーブ、タッチアップが行われた時に実行される処理が記載されている。例えば、タッチパッド機能に設定されているのが追尾ＡＦであれば、タッチダウンで追尾解除し、タッチムーブで追尾枠の位置の変更をし、タッチアップで追尾対象を変更（確定）し、追尾を開始する。また、１点ＡＦであればタッチダウンでは特に処理は行わず、タッチムーブでＡＦ枠の位置変更、タッチアップでＡＦ位置の確定をする。また、図６Ａのファインダ内表示部２５に示すアイテム６０１のように、タッチダウンがされたことに応じてタッチパッド機能に設定されている設定項目を表示してもよい。図６Ａは、タッチパッド機能に１点ＡＦが設定されている場合のファインダ内表示部２５の表示例であり、アイテム６０１の表示によりユーザはタッチ操作によりＡＦ位置の変更が可能であることを認識することができる。
なお、タッチダウン処理に対応する処理がなければＳ３０２の処理は行わない。
なお、ステップＳ３０１以前からタッチがされていた場合、システム制御部５０は、タッチダウン処理を行わず、ステップＳ３０４の処理に移行してもよい。
【００３１】
ステップＳ３０１で、タッチダウンされていないと判定された場合、ステップＳ３０３の処理に移行し、システム制御部５０は、タッチパッド機能実行処理を終了する操作がされたか否かを判定する。終了する操作がされたと判定された場合、タッチパッド機能実行処理を終了する。タッチパッド機能実行処理は、ファインダ７６への接眼がされなくなった場合、メニュー画面や再生画面へと遷移する操作がされた場合、電源のＯＦＦがされた場合に終了する。
一方、ステップＳ３０３で、システム制御部５０は、終了しないと判定した場合、ステップＳ３０８に処理を移行する。
【００３２】
ステップＳ３０４では、システム制御部５０は、タッチパネル８２においてタッチムーブがされたか否かを判定する。タッチムーブされたと検出された場合、ステップＳ３０５で、システム制御部５０は、通常の設定機能のタッチムーブ処理を実行する。「通常の設定機能のタッチムーブ処理」は、シャッターボタン６１が押されていない通常時にタッチパネル８２に対してタッチムーブされた場合に行われる処理である。図６Ｂはタッチパッド機能に１点ＡＦが設定されている場合のファインダ内表示部２５の表示例であり、ＡＦ枠６０２の表示位置がタッチムーブ操作に応じて変更される。ユーザはＡＦ枠６０２の位置と被写体の位置とを見ながら、所望の被写体の位置へとＡＦ枠を移動させ、ＡＦ位置の設定を、ファインダを覗いた状態において行うことができる。なお、タッチムーブ処理に対応する処理がなければ、Ｓ３０４の処理は行わない。
一方、ステップＳ３０４で、タッチムーブされなかった場合、システム制御部５０は、ステップＳ３０６に処理を移行させる。
【００３３】
ステップＳ３０６では、システム制御部５０は、タッチパネル８２からタッチアップ（タッチが離された）がされたか否かを判定する。タッチアップされた場合、ステップＳ３０７で、システム制御部５０は、通常の設定機能のタッチアップ処理を実行する。「通常の設定機能のタッチアップ処理」は、接眼時かつシャッターボタン６１が押されていない通常時にタッチパネル８２に対してタッチアップされた場合に行われる処理である。図６Ｃはタッチパッド機能に１点ＡＦが設定されている場合のファインダ内表示部２５の表示例であり、ＡＦ枠６０３の表示位置がＡＦ位置となる。タッチアップに応じてＡＦ位置が確定し、ＡＦ枠６０３の表示位置及び、ＡＦ枠６０３の位置にある被写体にピントがあうように、ＡＦ処理が行われることを認識することができる。なお、タッチアップ処理に対応する処理がなければ、Ｓ３０６の処理は行わない。
一方、ステップＳ３０６で、タッチアップがされなかった場合、システム制御部５０は
、ステップＳ３０８に処理を移行させる。
【００３４】
ステップＳ３０８で、システム制御部５０は、撮影準備指示が行われたか否かを判定する。例えば、シャッターボタン６１が半押しされた場合、システム制御部５０は、撮影準備指示が行われたと判定する。システム制御部５０は、撮影準備指示が行われた場合、ステップＳ３０９の処理に移行する。一方、システム制御部５０は、撮影準備指示が行われなかった場合、ステップＳ３０１の処理に戻る。
ステップＳ３０９では、システム制御部５０は、測光（測光処理）を行い、ＩＳＯ感度、絞り値、シャッター速度を確定する。撮影準備指示は、測光をし、撮影に関する設定値を確定する操作であり、撮影準備指示がされ設定値が確定された状態で、ユーザは所望のタイミングでの撮影が可能となる。なお、通常時のタッチパッド機能としてＩＳＯ感度、絞り設定のいずれかが選択されていた場合には、測光結果によらずに、後述するＳ３１４において設定値を確定する。
【００３５】
ステップＳ３１０では、システム制御部５０は、通常の設定機能が「ＡＦ設定機能」であるか否かを判定し、「ＡＦ設定機能」である場合、ステップＳ３１１に処理を移行させる。
ステップＳ３１１では、システム制御部５０は、タッチパネル８２にタッチ中（タッチオン、タッチがされている状態）であるか否かを判定する。タッチパネル８２にタッチ中であった場合、ステップＳ３１２に移行する。
ステップＳ３１２では、システム制御部５０は、通常の設定機能が「１点ＡＦ設定機能」であるか否かを判定し、「１点ＡＦ設定機能」である場合、ステップＳ３１３に処理を移行させる。そうでない場合（追尾ＡＦである場合）は、後述するＳ３１３におけるＡｆ位置の確定やＳ３１４における割当機能の切り替えの処理を行わずに、Ｓ３１５へ進む。ステップＳ３１３では、操作指定部は、シャッターボタン６１が半押しされた時点（撮影指示をする際の押下の途中の状態）のカーソルの位置を１点ＡＦのＡＦ位置として確定させる。なお、ＡＦ枠はＳ３０９における測光がされ、測距を行った結果、合焦したか否かを、枠色および形状を変更することでユーザに示すようにしてもよい。
すなわち、１点ＡＦではタッチが離されたことに応じてＡＦ位置を確定するが、タッチが離される前にシャッターボタンが半押しされた場合には、このタイミングでＡＦ位置を確定するようにする。本実施形態では、撮影準備指示がされたことに応じて、タッチパッド機能に割り当てる機能を切り替えるので、撮影準備指示前に割当たっていた機能による設定が確定しないまま、機能が切り替わってしまうと、元の設定に戻ってしまう。例えばユーザがせっかくＡＦ位置の変更をして所望の位置まで移動したのに、シャッターボタンを半押したときにタッチがまだされていると元のＡＦ位置に戻ってしまう。そこで、Ｓ３１３においては、ＡＦ位置を確定し、ＡＦ処理（合焦処理）を行うようにする。なお、１点ＡＦの確定はタッチが離されたことに応じて行われるが、確定された位置に基づくＡＦ処理は撮影準備指示に応じて行われる。また、Ｓ３１３において行われたＡＦ処理による合焦位置は、後述するＳ３１７において撮影準備指示が解除されたと判定されるまで変えない。つまり、Ｓ３１４でＡＦ処理をした後は、Ｓ３１７でＮｏとなるまでＡＦ処理は行わない。
【００３６】
ステップＳ３１４では、システム制御部５０は、タッチパッド機能を撮影準備指示中の設定機能に切り替える。図６Ａ〜Ｄに示す例では、撮影準備指示前（図６Ａ〜Ｃの時）には１点ＡＦがタッチパッド機能に割当たっていたので、撮影準備指示に応じて切り替わる機能は図５Ｂに示すものとなる。つまり、１点ＡＦの場合には露出補正、コントラスト補正、ＨＤＲへと切り替え可能である、本実施形態では、露出補正へと切り替わる場合について以下説明をする。Ｓ３１４においては、図６Ｄに示すように、アイテム６０４を表示することで、ユーザにタッチパッド機能が露出補正に切り替わったことを伝えることができる。なお、アイテム６０６も露出補正を示すものであるが、タッチパッド機能が切り替
わってもそのまま表示していても、アイテム６０４が表示されたことに応じて非表示にしてもよい。アイテム６０４のように元のアイテム６０６よりも大きく表示することでユーザはタッチパッド機能が切り替わったことを認識しやすくなり、また設定値の視認性も向上する。なお、もともと対応するアイテムが表示されていなかった機能へと切り替わった場合には、Ｓ３１４において新たに設定されたタッチパッド機能に対応するアイテムが表示される。また、図６ＤのＡＦ枠６０５は現在のタッチパッド機能の操作対象ではないので、細く表示されるようにしてもよい。このようにすることで、ユーザはＡＦ枠の位置は確認できるが、操作対象ではなくなったことを認識することができる。
ステップＳ３１５では、システム制御部５０は、撮影指示がされたか否かを判定する。シャッターボタン６１を全押しすることで撮影指示を行うことができる。撮影指示がされた場合、システム制御部５０は、ステップＳ３１６で撮像処理部が撮影処理を行った後、ステップＳ３０１の処理に戻る。一方、システム制御部５０は、撮影指示がされていない場合、ステップＳ３１７の処理に移行する。
ステップＳ３１７では、システム制御部５０は、撮影準備指示中であるか否かを判定する。システム制御部５０は、撮影準備指示中の場合、ステップＳ３１８の処理に移行する。
一方、撮影準備指示が解除されていた場合、システム制御部５０は、ステップＳ３１９で、撮影準備指示中用の設定中の設定機能の設定値を確定させる。すなわち、撮影準備指示の状態が解除されたので、Ｓ３１４において切り替えた機能の設定を確定させ、通常の機能へと切り替えるようにする。例えば、撮影準備中の設定機能として「ＩＳＯ感度設定機能」、「ＨＤＲ設定機能」、「コントラスト設定機能」、「絞り設定機能」又は「露出補正設定機能」が選択されていた場合、現在設定されている設定値に確定する。続いて、ステップＳ３２０で、システム制御部５０は、もとの通常時の設定機能をタッチパッド機能として設定する。続いて、システム制御部５０は、ステップＳ３０１の処理へと移行する。
【００３７】
ステップＳ３１８では、システム制御部５０は、タッチパネル８２へのタッチがされている状態であるか否かを判定する。タッチ中と判定された場合、システム制御部５０は、ステップＳ３２３の処理に移行させる。一方、タッチ中でない（タッチオフ）と判定された場合、システム制御部５０は、ステップＳ３２１に処理を移行させる。
【００３８】
ステップＳ３２１では、システム制御部５０は、タッチパネル８２へのタッチダウン（タッチの開始）がされたか否かを判定する。タッチダウンされた場合、システム制御部５０は、ステップＳ３２２に処理を移行させる。一方、タッチダウンされなかった場合、システム制御部５０は、ステップＳ３１５に処理を移行させる。
ステップＳ３２２で、システム制御部５０は、撮影準備指示中用のタッチダウン処理を実行させる。具体的には、システム制御部５０は、撮影準備指示中の設定機能に関し、設定中の機能のタッチダウン対応処理を実行させる。Ｓ３１４において露出補正に切り替わったとすると、図５Ａに示すように露出補正にはタッチダウン対応処理がないので、Ｓ３２２では何も行わない。すなわち、図６Ｃに示すファインダ内表示部２５においても表示は変わらない。
【００３９】
ステップＳ３２３では、システム制御部５０は、タッチパネル８２においてタッチムーブがされた（タッチ位置の移動）か否かを判定する。タッチムーブがされたと判定された場合、システム制御部５０は、ステップＳ３２４に処理を移行させる。一方、タッチムーブされていないと判定された場合、システム制御部５０は、ステップＳ３２５に処理を移行させる。
ステップＳ３２４で、システム制御部５０は、撮影準備指示中用のタッチムーブ処理を実行させる。Ｓ３１４において露出補正へとタッチパッド機能が切り替えられた場合には、Ｓ３２４において露出補正の設定値の変更を行う。具体的にはタッチ位置の移動量を取
得し、移動量に応じた分、露出補正の設定値を変更する。図６（ａ）の例では、右方向（Ｘ軸方向）にタッチムーブがされた場合にはＸ軸方向に移動した分、メモリ６０４ａを移動する。なお、撮影準備指示がされる前に開始されたタッチが離されていない場合には、タッチムーブ操作がされても対応する処理を行わず、一度タッチが離された後のタッチムーブ操作に応じて対応する処理を行うようにしてもよい。
【００４０】
ステップＳ３２５では、システム制御部５０は、タッチパネル８２からタッチアップがされたか否かを判定する。タッチアップがされたと判定された場合、システム制御部５０は、ステップＳ３２６に処理を移行させる。一方、タッチアップがされていないと判定された（まだタッチがされた状態である）場合、システム制御部５０は、ステップＳ３２３に処理を移行させる。
なお、Ｓ３２５においてタッチアップが検出される前にも撮影指示は受付可能である。撮影準備指示中にタッチパッド機能として設定可能な機能のうち、追尾ＡＦ以外の機能はタッチムーブをしたことに応じて設定がされるので、設定中の設定値での撮影が行われる。また追尾ＡＦの場合には、ＡＦ枠のある位置の被写体の合焦するようにするので、このまま撮影処理が行われる。
ステップＳ３２６で、システム制御部５０は、撮影準備指示中用のタッチアップ処理を実行させる。Ｓ３１４において露出補正へとタッチパッド機能が切り替えられた場合には、Ｓ３２６においては何も行わない。
システム制御部５０は、ステップＳ３２６の処理が終了した後は、ステップＳ３０１の処理に移行させる。そして、上記ステップＳ３０１以降の処理は、ステップＳ３０３で処理を終了させると判定されるまで続行される。
【００４１】
次に、通常及び撮影準備指示中のタッチダウン処理、タッチムーブ処理及びタッチアップ処理に関する具体例について説明する。
図５Ａ及び図５Ｂは、通常及び撮影準備指示中のタッチ処理を説明するための図である。図５Ａの表はタッチ処理に対する動作を示す図である。設定項目の列は、タッチパネル８２に対する通常又は撮影準備指示中の設定機能を示しており、図４の設定画面４０１の「通常時」、「シャッターボタン半押し時」の項目で選択された設定機能に対応する。
例えば、図５Ａの表には、設定項目として「１点ＡＦ（設定機能）」、「追尾ＡＦ（設定機能）」、「ＩＳＯ感度（設定機能）」が示される。さらに、設定項目として「ＨＤＲ（設定機能）」、「コントラスト（設定機能）」、「表示切替（機能）」、「絞り設定（設定機能）」又は「露出補正（設定機能）」が示される。
各設定項目に関し、タッチダウンの列にはタッチダウン時の処理、タッチムーブの列にはタッチムーブ時の処理、タッチアップの列にはタッチアップ時の処理が示される。設定項目として「１点ＡＦ設定機能」が選択されていた場合、タッチダウン時は何も行わず、タッチムーブ時にタッチ操作に応じてＡＦ位置を変更させる。また、操作指定部は、タッチアップ時にＡＦ位置を確定させる。
また、設定項目として「追尾ＡＦ設定機能」が選択されていた場合、タッチダウン時に既に設定されていた追尾対象を解除し、タッチムーブ時にタッチ操作に応じて追尾対象を選択するためのカーソルの位置を変更する。また、操作指定部は、タッチアップ時に現在のカーソルの位置に存在する対象を追尾対象に設定し、追尾ＡＦを開始させる。なお、システム制御部５０は、追尾ＡＦすることができる対象を示すマークをファインダ内表示部２５に表示させてもよい。これにより、追尾ＡＦする対象を選択しやすくすることができる。
【００４２】
また、設定項目として「ＩＳＯ感度設定機能」が選択されていた場合、例えば、操作指定部は、左方向にタッチムーブした場合には設定値を増加させる。設定項目として「ＨＤＲ設定機能」、「コントラスト設定機能」、「絞り設定機能」又は「露出補正設定機能」が選択されていた場合も同様である。また、右方向にタッチムーブした場合には設定値を
減少させ、タッチダウン時及びタッチアップ時には何も行われない。
また、設定項目として「表示切替機能」が選択されていた場合、タッチダウン時に別の表示形態に切り替える。タッチダウン時にファインダ内表示部２５に表示されていた各種アイコンを消去し、ライブビュー画像のみを表示させる。また、再度タッチダウンされたときにファインダ内表示部２５に各種アイコンを表示させ、タッチムーブ時及びタッチアップ時には何も行わない。
【００４３】
図５Ｂは、撮影準備指示の状態か否かでどのようにタッチパッド機能が切り替わるのかを、撮影準備指示前の設定値を基準として示した図である。タッチパッド機能の撮影準備指示前（通常時）の機能として「ＩＳＯ感度」が選択されていた場合、撮影準備指示がされると、設定中のＩＳＯ感度の設定値に確定がされ、さらにタッチパッド機能に割当たる機能が露出補正、コントラスト補正、ＨＤＲ、追尾ＡＦのいずれかになる。図４を用いて前述したように、ユーザがメニュー画面においていずれかを選択し、設定することができる。
また、タッチパッド機能の撮影準備指示前（通常時）の機能として「追尾ＡＦ設定機能」が選択されていた場合、撮影準備指示がされても、タッチパッド機能に割り当てる機能は変更せず、追尾ＡＦのままとする。
なお、同じＡＦに関する設定でも通常時の設定は１点ＡＦの場合は、タッチ操作で選択したＡＦ位置で測距したあとは、シャッターボタン６１を離すまでは、ＡＦ位置を動かす必要がない。それよりも、ピントを合わせたまま、露出補正値を変更したい場合もある。こうしたユーザに対しては、撮影準備指示に応じてタッチパッド機能を例えば露出補正へと切り替え、タッチ操作で補正値の変更を可能とした方がより多くの機能をタッチ操作で変更可能になるので、操作性が向上する。特にファインダを覗いた状態では、メニュー画面を表示し、設定し直すような操作をすると撮影が中断されてしまうため、撮影準備指示、特にタッチ操作を行う親指以外で操作可能な（そもそも撮影のために指をおいている）シャッターボタンがよい。ただし、追尾ＡＦである場合は、撮影準備指示中にも被写体の位置に応じてＡＦ位置を変更するユースケースもあるため、割り当てを変更しないようにする。
また、タッチパッド機能の撮影準備指示前（通常時）の機能として「露出補正」が選択されていた場合、撮影準備指示がされたらタッチパッド機能に割り当てる機能を追尾ＡＦに変更してもよい。露出補正値で測距した後、被写体の動きに応じて、ＡＦ位置を変更したい場合がある。こうしたユーザは、撮影準備指示後、タッチパッド機能として追尾ＡＦを割り当てて、タッチ操作で追尾ＡＦをする位置の変更を可能とする。ただし、１点ＡＦは、撮影準備指示中に被写体の位置に応じてＡＦ位置を変更するケースは少ないため、割り当てを変更しない。
なお、通常のタッチパッド機能として追尾ＡＦが設定されている場合には、ユーザはすでにＡＦ対象の被写体を指定し、あとはカメラが自動的に追尾してＡＦしてくれることを期待していると考え、ＡＦ以外の項目を割り当て可能とする。
シャッターボタン半押し状態では、タッチパッド機能として、「１点ＡＦ設定機能」以外の項目の設定項目を設定可能である。これは１点ＡＦの場合には、撮影準備指示に応じてＡＦ処理を行った後は、フォーカス位置を変えないためであり、一方で追尾の場合には被写体の動きに応じて撮影準備指示後もフォーカス位置を変えるためである。
なお、一点ＡＦ設定かつＡＦ位置に測光位置が連動する設定の場合は、１点ＡＦであっても撮影準備指示中も被写体の状況を見ながら測光位置を変えたいケースが考えられる。そこで、ＡＦ位置と測光位置が連動する設定の場合には、撮影準備指示中に測光位置の変更操作を受付け可能にしてもよい。
また、タッチパッド機能の撮影準備指示前（通常時）の機能として「表示切替機能」が選択されていた場合、撮影準備指示がされると、タッチパッド機能に割当たる機能が露出補正、コントラスト補正、ＨＤＲ、追尾ＡＦのいずれかになる。なお、表示切替機能は、タッチダウンがされた時に、表示の変更処理が既にされているのでＩＳＯ感度の時のよう
に撮影準備指示に応じて確定することはしない。
なお、追尾ＡＦ以外の項目については、撮影準備指示が解除されると、元の項目をタッチパッド機能の機能として切り替える。
【００４４】
以上、説明した実施形態によれば、撮影準備指示がされていない状態と、撮影準備指示がされている状態とで、タッチパッド機能を切り替えるので、ファインダを覗いた状態においてユーザはより多くの機能をタッチ操作で設定することができるようになる。
もともと１点ＡＦをタッチパッド機能の設定項目に設定していた場合には、撮影準備指示後には設定されたＡＦ位置においてＡＦ処理が行われ、さらにその後、露出補正やコントラスト補正等の設定変更を接眼中のタッチ操作によって行うことができる。よって、ユーザは撮影準備指示前には撮影準備指示で確定したい例えばＡＦ位置の設定操作を行い、撮影準備指示中には露出補正等の調整をタッチ操作によって行うことができる。
また、もともとＡＦ以外のＩＳＯ感度や絞り設定等をタッチパッド機能に設定していた場合には、撮影準備指示に応じてＩＳＯ感度や絞り設定等の設定を確定した上で、その後ゆっくりと追尾する被写体の設定等と行うことができる。
なお、撮影準備指示がされる前からタッチ中（タッチオン）の状態が継続していた場合、撮影準備指示がされても機能を切り替えず、タッチが離されたタイミングで、撮影準備指示中のタッチパッド機能に切り替えるようにしてもよい。
また、タッチパッド機能が切り替わる度にユーザにタッチパッド機能が切り替わったことを示すガイダンス（ガイド）を表示してもよい。
なお、上述の各種制御は、１つのハードウェアが行ってもよいし、複数のハードウェアが処理を分担することで、装置全体の制御を行ってもよい。
【００４５】
以上、本発明を実施の形態を用いて説明したが、本発明の技術的範囲は上記実施の形態に記載の範囲には限定されず、その要旨の範囲内で種々の変形及び変更が可能である。
通常の設定機能及び撮影準備指示中の設定機能として１点ＡＦ設定機能、追尾ＡＦ設定機能、ＩＳＯ感度設定機能、ＨＤＲ設定機能、コントラスト設定機能、絞り設定機能又は露出補正設定機能の設定を挙げたが、これに限定されない。例えば、通常の設定機能及び撮影準備指示中の設定機能としてファインダ内表示部２５における撮影倍率、シャッタースピード、Ｆ値、測光位置を変更する機能を設定してもよい。また、ドライブ設定、アスペクト比設定、ライブビュー表示の倍率設定、通常の設定機能及び撮影準備指示中の設定機能として撮影画像の削除、撮影画像の編集などのカメラ機能を設定してもよい。
なお、上記実施例ではシャッターボタン６１の半押しにより撮影準備指示中の状態に移行する例を示したが、これに限定されず、他の部材の操作によりタッチパッド機能を切り替える状態（撮影準備指示は行わなくてもよい）に移行させてもよい。その際、タッチパッド操作は右手親指で行うことが想定されるため、親指以外で操作することが想定される操作部材、例えば鏡筒周りのリングなどを用いてもよい。これにより、ユーザビリティが向上することが期待できる。タッチパネルを行う親指とは異なる人差し指等で操作可能なシャッターボタンや、その他のボタン、ダイヤルでもよい。なお、タッチパッド機能を切り替えるための操作部材を用意し、その操作部材の押下に応じて機能を切り替えるが、シャッターボタン６１が半押しされたら、もともとの項目に戻すようにしてもよい。
また、撮影準備指示においては、測光、ＩＳＯ感度、絞り、シャッター速度等の設定値を固定することを説明したが、必ずしも撮影準備指示に応じて処理を行わなくてもよい。つまり、撮影準備指示ではなく（撮影準備指示とは別の指示でもよい）タッチパッドの機能を切り替える指示（所定の指示）を受付け可能にしてもよい。タッチパッドの切り替え指示は、タッチパネル８２へのダブルタップ操作やロングタッチでもよいし、特定の操作部材の押下でもよいし、上述した親指以外での操作が可能な操作部材でもよい。
さらに、上述した実施形態においては接眼した状態においてタッチパッド機能を受付けることを説明したが、これに限らず、上述の実施形態はユーザが表示部２８のライブビュー画像を見た状態においても適用可能である。
また、図６Ｂに示したカーソル６０２は、状況に応じて大きさが可変であってもよく、また一枠で構成されていなくてもよい。例えば光学ファインダなど、カーソルの代わりに複数のＡＦ点が表示されている場合には、タッチ位置を示す際にはタッチした指の位置および面積に応じて、複数のＡＦ点の色を変更するなどして、タッチ位置を示すようにしても良い。
【００４６】
また、上述した実施形態においては、本発明をデジタルカメラ１００に適用した場合を例にして説明したが、これはこの例に限定されず、タッチ操作を受付け可能な撮像装置あれば適用可能である。例えば、タッチパネルを有する、パーソナルコンピュータやＰＤＡ、携帯電話端末や携帯型の画像ビューワ、ディスプレイを備えるプリンタ装置、デジタルフォトフレーム、音楽プレーヤー、ゲーム機などに適用可能である。また、電子ブックリーダー、タブレット端末、スマートフォン、投影装置、ディスプレイを備える家電装置や車載装置などにも適用可能である。
また、上述の実施形態では、タッチパネル８２をタッチパッドとして用いる例について説明したが、これに限定されない。デジタルカメラ１００は、タッチパネル８２とは別にユーザによるタッチ操作を検出するタッチパッドを有してもよい。
【００４７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
１：デジタルカメラ１００、２：表示部２８、３：ファインダ内表示部２５、４：システム制御部５０、５：シャッターボタン６１、６：接眼センサ７７
【図１】
2018125801.tif 000003
【図２】
2018125801.tif 000004
【図３】
2018125801.tif 000005
【図４】
2018125801.tif 000006
【図５】
2018125801.tif 000007
【図６】
2018125801.tif 000008